(57)【特許請求の範囲】
【請求項１】
ホスト装置のケージに挿入されて、結合機構により当該ケージと結合される本体部と、
前記本体部に組付けられたベースと、
前記ベースに回動可能に組付けられた抜去用バーと、
前記ベース上をスライドして前記結合機構に接触することで、前記本体部と前記ケージとの結合を解除するスライダと、
前記抜去用バーの回動動作を前記スライダのスライド動作に変換する変換機構と、
前記抜去用バーが組付けられた前記ベースを前記本体部に組付けられた状態で当該抜去用バーが回動可能な範囲に対し、当該範囲外の角度で当該抜去用バーを当該ベースに組付け可能とする組付け機構と
を備えたプラガブル光送受信モジュール。
【請求項２】
前記ベース及び前記抜去用バーは、前記本体部と前記ケージとが結合した状態において、当該抜去用バーを当該ベースに保持させる保持機構を有する
ことを特徴とする請求項１記載のプラガブル光送受信モジュール。
【請求項３】
前記組付け機構は、
前記ベース及び前記抜去用バーのうちの一方に設けられ、自身の径より幅広な抜け止め用突起を端部に有する回転軸と、
前記ベース及び前記抜去用バーのうちの他方に設けられ、前記範囲外の角度で前記抜け止め用突起を挿入可能であり、前記回転軸を回動可能に保持する抜け止め用穴とを有する
ことを特徴とする請求項１又は請求項２記載のプラガブル光送受信モジュール。
【請求項４】
前記ベース及び前記抜去用バーは樹脂成型品である
ことを特徴とする請求項１から請求項３のうちのいずれか１項記載のプラガブル光送受信モジュール。
【発明の詳細な説明】
【技術分野】
【０００１】
この発明は、ホスト装置のケージとの間で挿抜可能なプラガブル光送受信モジュールに関するものである。
【背景技術】
【０００２】
プラガブル光送受信モジュールは、ホスト装置のケージとの間で挿抜可能とする挿抜構造を有していなければならない。特に、プラガブル光送受信モジュールの光レセプタクルに光伝送ケーブルの端部（光コネクタ）が挿入されている場合にはケージからの抜去を禁止し、光伝送ケーブルの端部が挿入されていない場合にのみケージからの抜去を可能とする挿抜構造が必要とされている。この挿抜構造にはバー構造を用いることが周知であり、このバー構造については種々の提案がされている。
【０００３】
例えば、回動可能な引張ロッド（抜去用バー）と、引張ロッドの回動動作をスライド動作に変換するクロスバーと、クロスバーによりラッチベース上をスライドし、光送受信モジュールと通信装置との係合を解除する可動ラッチとを備えたものが知られている（例えば特許文献１参照）。
また、レバー（抜去用バー）と、レバーの回動動作をスライド動作に変換する軸とを強固に固定するため、止め輪を用い、又は軸の両端をリベット加工又は溶接加工したものも知られている（例えば特許文献２参照）。
また、ベール（抜去用バー）の回動動作を直動動作に変換する接触部を、アクチュエータと一体で形成したものも知られている（例えば特許文献３参照）。
【先行技術文献】
【特許文献】
【０００４】
【特許文献１】特開２００５−２５８３９１号公報
【特許文献２】特開２００５−８４５２１号公報
【特許文献３】特開２００７−２２６０３９号公報
【発明の概要】
【発明が解決しようとする課題】
【０００５】
しかしながら、特許文献１に開示された従来構成では、引張ロッドとクロスバーとの嵌合量が少なく、横から引張ロッドに力を加えると、引張ロッドが簡単に外れてしまう恐れがあるという課題がある。この場合、プラガブル光送受信モジュールをケージから抜去できなくなる。特許文献３に開示された従来構成についても同様に、ベールが外れやすいという課題がある。
一方、特許文献２に開示された従来構成では、上記課題を解決することができる。しかしながら、この従来構成では、レバーと軸とを強固に固定するために、部品の追加、リベット加工又は溶接加工等の２次加工の追加が必要となる。よって、部品点数の増加、２次加工の手間の増加、組立て性の悪化等によりコストが増大するという課題がある。
【０００６】
この発明は、上記のような課題を解決するためになされたもので、従来構成に対し、安価な構成で抜去用バーがプラガブル光送受信モジュールから外れることを回避することができるプラガブル光送受信モジュールを提供することを目的としている。
【課題を解決するための手段】
【０００７】
この発明に係るプラガブル光送受信モジュールは、ホスト装置のケージに挿入されて、結合機構により当該ケージと結合される本体部と、本体部に組付けられたベースと、ベースに回動可能に組付けられた抜去用バーと、ベース上をスライドして結合機構に接触することで、本体部とケージとの結合を解除するスライダと、抜去用バーの回動動作をスライダのスライド動作に変換する変換機構と、抜去用バーが組付けられたベースを本体部に組付けられた状態で当該抜去用バーが回動可能な範囲に対し、当該範囲外の角度で当該抜去用バーを当該ベースに組付け可能とする組付け機構とを備えたものである。
【発明の効果】
【０００８】
この発明によれば、上記のように構成したので、従来構成に対し、安価な構成で抜去用バーがプラガブル光送受信モジュールから外れることを回避することができる。
【図面の簡単な説明】
【０００９】
【図１】この発明の実施の形態１に係るプラガブル光送受信モジュールの構成例を示す分解斜視図である。
【図２】この発明の実施の形態１に係るプラガブル光送受信モジュールの構成例を示す図であり、（ａ）斜視図であり、（ｂ）側面図であり、（ｃ）底面図である。
【図３】この発明の実施の形態１における本体部の構成例を示す下から見た斜視図である。
【図４】この発明の実施の形態１における前面ベース及び抜去用バーの構成例を示す斜視図である。
【図５】この発明の実施の形態１におけるスライダの構成例を示す下から見た斜視図である。
【図６】この発明の実施の形態１における抜去用バーの前面ベースへの組付け後の状態の一例を示す図であり、（ａ）上面図であり、（ｂ）側面図である。
【図７】この発明の実施の形態１における抜去用バーの前面ベースへの組付け後の状態の一例を示す図であり、（ａ）図６（ａ）のＡ−Ａ線断面図であり、（ｂ）（ａ）のＢ部拡大図である。
【図８】この発明の実施の形態１におけるスライダの前面ベースへの組付け例を説明する図であって、組付け前の状態を示す下から見た斜視図である。
【図９】この発明の実施の形態１におけるスライダの前面ベースへの組付け例を説明する図であって、スライダを前面ベースに載せた状態を示す図であり、（ａ）下から見た斜視図であり、（ｂ）側面図であり、（ｃ）底面図である。
【図１０】この発明の実施の形態１におけるスライダの前面ベースへの組付け後の状態の一例を示す図であり、（ａ）下から見た斜視図であり、（ｂ）側面図であり、（ｃ）底面図である。
【図１１】この発明の実施の形態１における前面ベースの本体部への組付け例を説明する図であり、（ａ）組付け前の状態を示す下から見た斜視図であり、（ｂ）組付け後の状態を示す下から見た斜視図である。
【図１２】この発明の実施の形態１における抜去用バー及びスライダの可動限界位置の一例を説明する図であり、（ａ）下から見た斜視図であり、（ｂ）側面図であり、（ｃ）底面図である。
【図１３】この発明の実施の形態１に係るプラガブル光送受信モジュールをホスト装置のケージに挿入した状態の一例を示す図であり、（ａ）下から見た斜視図であり、（ｂ）上から見た斜視図である。
【図１４】この発明の実施の形態１に係るプラガブル光送受信モジュールをホスト装置のケージから抜去する際の動作例を示す下から見た斜視図である。
【図１５】この発明の実施の形態２における前面ベース及び抜去用バーの構成例を示す斜視図である。
【図１６】この発明の実施の形態３における前面ベース及び抜去用バーの構成例を示す斜視図である。
【発明を実施するための形態】
【００１０】
以下、この発明の実施の形態について図面を参照しながら詳細に説明する。
実施の形態１．
図１はこの発明の実施の形態１に係るプラガブル光送受信モジュール１の構成例を示す分解斜視図であり、図２は組立て後の構成例を示す斜視図である。
プラガブル光送受信モジュール１は、ホスト装置のケージ２に挿抜可能なモジュールである（図１３，１４参照）。なお、図１３，１４に示すように、ケージ２には、開口端に、結合穴２１１を有する舌片２１が設けられている。また、この舌片２１は、先端に、外側に折れ曲がった折れ曲がり部２１２を有している。
プラガブル光送受信モジュール１は、図１，２に示すように、本体部１１、前面ベース（ベース）１２、抜去用バー１３及びスライダ１４を備えている。
【００１１】
まず、本体部１１の構成について説明する。
本体部１１は、ホスト装置のケージ２に挿入されて結合されるものである。図３に示すように、この本体部１１には、一側面（底面）に、結合突起１１１が設けられている。この結合突起１１１は、本体部１１がケージ２に挿入された際に、ケージ２に設けられた舌片２１の結合穴２１１に嵌ることで、本体部１１とケージ２とを結合するものである。ここで、結合穴２１１を有する舌片２１と結合突起１１１は、本体部１１がケージ２に挿入されることで本体部１１とケージ２とを結合する結合機構を構成する。なお、結合機構は、図に示す構成に限るものではなく、本体部１１がケージ２に挿入されることで本体部１１とケージ２とを結合可能であり、且つスライダ１４がスライドされて接触することで本体部１１とケージ２との結合を解除可能な構成であればよい。
【００１２】
また、本体部１１には、上記一側面に、スライダ規制突起１１２が設けられている。このスライダ規制突起１１２は、スライダ１４の後述するスライダ規制切欠き１４７と接触することで、スライダ１４のケージ２側へのスライドを規制するものである。
【００１３】
また、図１，３に示すように、本体部１１には、固定溝１１３が設けられている。ここでは、本体部１１の上面と両側面に固定溝１１３を設けた場合について示している。この固定溝１１３は、前面ベース１２の後述する固定爪１２５が嵌ることで、前面ベース１２を本体部１１に強固に固定するものである。
【００１４】
次に、前面ベース１２の構成について説明する。
前面ベース１２は、本体部１１の前面（ケージ２への挿入側とは反対側）に組付けられるものである。この前面ベース１２は、本体部１１の軸方向に開口を有する筐体構造に構成されている。図４に示すように、この前面ベース１２には、両側面（左右側面）の先端側に、キー溝穴（抜け止め用穴）１２１が設けられている。このキー溝穴１２１は、抜去用バー１３の後述するキー突起付回転軸１３３のキー突起１３３２を挿入可能とし、キー突起付回転軸１３３の回転軸１３３１を回動可能に保持するものである。キー溝穴１２１は、本体部１１とケージ２との結合を解除する際に抜去用バー１３を回動可能な範囲に対し、当該範囲外の角度でのみキー突起付回転軸１３３のキー突起１３３２を挿入可能な形状に構成されている。
【００１５】
また、図８に示すように、前面ベース１２には、一側面（底面）の後端に、突起１２２が設けられている。この突起１２２は、逆Ｌ字型に構成され、スライダ１４の後述するスライダ規制穴１４１によりスライド可能に保持されるものである。また、前面ベース１２には、上記一側面の先端に、突起１２３が設けられている。この突起１２３は、逆Ｌ字型に構成され、スライダ１４の後述するスライダ規制穴１４２によりスライド可能に保持されるものである。
【００１６】
また、図４に示すように、前面ベース１２には、一側面（左側面）に、スライダ規制壁１２４が設けられている。このスライダ規制壁１２４は、スライダ１４の後述するカム突起１４３が接触することで、スライダ１４のケージ２側へのスライドを規制するものである。
【００１７】
また、図１に示すように、前面ベース１２には、筐体内部に、固定爪１２５が設けられている。ここでは、前面ベース１２の内部の上面と両側面に固定爪１２５を設けた場合を示している。なお図１では、図を見やすくするために、右側面の固定爪１２５の図示を省略している。この固定爪１２５は、本体部１１の固定溝１１３に嵌ることで、前面ベース１２を本体部１１に強固に固定するものである。なお、固定溝１１３と固定爪１２５は、前面ベース１２を本体部１１に強固に固定する固定機構を構成する。この固定機構は、固定溝１１３と固定爪１２５に限るものではなく、前面ベース１２を本体部１１に強固に固定可能な構成であればよい。
【００１８】
次に、抜去用バー１３の構成について説明する。
抜去用バー１３は、前面ベース１２に回動可能に組付けられるものである。図４に示すように、この抜去用バー１３は、プラガブル光送受信モジュール１をケージ２から抜去する際に使用者が把持する把持部１３１と、把持部１３１の両端に垂直（略垂直の意味を含む）に設けられ、端部が回動軸心となる回動部１３２とから構成されている。
【００１９】
この抜去用バー１３には、両回動部１３２の端部内側に、キー突起付回転軸１３３が設けられている。このキー突起付回転軸１３３は、回転軸１３３１と、回転軸１３３１の先端に設けられ、回転軸１３３１より幅広なキー突起（抜け止め用突起）１３３２とから構成されている。キー突起１３３２は、本体部１１とケージ２との結合を解除する際に抜去用バー１３の回動可能な範囲に対し、当該範囲外の角度でのみ前面ベース１２のキー溝穴１２１に挿入可能な形状に構成されている。ここで、キー溝穴１２１及びキー突起付回転軸１３３は、本体部１１とケージ２との結合を解除する際に当該抜去用バー１３を回動可能な範囲に対し、当該範囲外の角度で当該抜去用バー１３を当該前面ベース１２に組付け可能とする組付け機構を構成する。
【００２０】
また、抜去用バー１３には、一方の回動部１３２の端部に、カム板１３４が設けられている。このカム板１３４は、キー突起付回転軸１３３を軸心にして抜去用バー１３が回動されることで、スライダ１４の後述するカム突起１４３又はカム突起１４４と接触し、抜去用バー１３の回動動作をスライダ１４のスライド動作に変換するものである。
【００２１】
次に、スライダ１４の構成について説明する。
スライダ１４は、前面ベース１２の一側面（底面）上をスライドして結合機構に接触することで、本体部１１とケージ２との結合を解除するものである。図５に示すように、このスライダ１４には、中央に、スライダ規制穴１４１が設けられている。このスライダ規制穴１４１は、先端に設けられた挿入穴１４１１と、後方側に設けられたスライド溝１４１２とから構成されている。挿入穴１４１１は、前面ベース１２の突起１２２を挿入可能とするものである。スライド溝１４１２は、挿入穴１４１１から挿入された突起１２２をスライド可能に保持するものである。また、スライダ１４には、先端に、スライダ規制穴１４２が設けられている。このスライダ規制穴１４２は、前面ベース１２の突起１２３をスライド可能に保持するスライド溝１４２１から構成されている。
【００２２】
また、図１に示すように、スライダ１４には、カム突起１４３，１４４が設けられている。このカム突起１４３，１４４は、抜去用バー１３が回動されることでカム板１３４と接触し、抜去用バー１３の回動動作をスライダ１４のスライド動作に変換するものである。ここで、カム板１３４及びカム突起１４３，１４４は、抜去用バー１３の回動動作をスライダ１４のスライド動作に変換する変換機構を構成する。なお、変換機構は、図に示す構成に限るものではなく、抜去用バー１３の回動動作をスライダ１４のスライド動作に変換可能な構成であればよい。
【００２３】
また、スライダ１４には、抜去用バー規制突起１４５が設けられている。この抜去用バー規制突起１４５は、抜去用バー１３のカム板１３４と接触することで、抜去用バー１３の回動を規制するものである。
【００２４】
また、図５に示すように、スライダ１４には、後端に、解除突起１４６が設けられている。この解除突起１４６は、スライダ１４がケージ２側にスライドされることで、ケージ２の舌片２１の折れ曲がり部２１２と接触し、舌片２１を外側に押し上げるものである。
また、スライダ１４には、後端に、スライダ規制切欠き１４７が設けられている。このスライダ規制切欠き１４７は、本体部１１のスライダ規制突起１１２と接触することで、スライダ１４のケージ２側へのスライドを規制するものである。
【００２５】
次に、プラガブル光送受信モジュール１の組立て例について説明する。まず、抜去用バー１３の前面ベース１２への組付け例について説明する。
抜去用バー１３の前面ベース１２への組付け例では、図４に示すように、まず、抜去用バー１３のキー突起付回転軸１３３のキー突起１３３２の向きを、前面ベース１２のキー溝穴１２１の向きに合わせるように、抜去用バー１３の角度を調整する。この際、抜去用バー１３の角度は、プラガブル光送受信モジュール１をケージ２から抜去する際の抜去用バー１３の回動可能な範囲に対し、当該範囲外の角度となる。そして、図６，７に示すように、抜去用バー１３のキー突起付回転軸１３３のキー突起１３３２を、前面ベース１２のキー溝穴１２１に挿入する。これにより、抜去用バー１３のキー突起付回転軸１３３の回転軸１３３１が、前面ベース１２のキー溝穴１２１に回動可能に保持される。
【００２６】
次に、スライダ１４の前面ベース１２への組付け例について説明する。
スライダ１４の前面ベース１２への組付け例では、図８，９に示すように、スライダ１４のスライダ規制穴１４１の挿入穴１４１１に、前面ベース１２の突起１２２を挿入させるように、スライダ１４を前面ベース１２の一側面（底面）上に載せる。そして、この状態で、図１０に示すように、抜去用バー１３を矢印１００１方向へ回動させる。これにより、カム板１３４とカム突起１４４とが接触し、スライダ１４が矢印１００２方向にスライドして、突起１２２及び突起１２３を、スライダ規制穴１４１のスライド溝１４１２及びスライダ規制穴１４２にそれぞれ保持させる。
【００２７】
次に、前面ベース１２の本体部１１への組付け例について説明する。
前面ベース１２の本体部１１への組付け例では、図１１に示すように、スライダ１４のスライダ規制切欠き１４７を本体部１１のスライダ規制突起１１２に合わせて、前面ベース１２を本体部１１に挿入する。この際、前面ベース１２の固定爪１２５が本体部１１の固定溝１１３に嵌り、前面ベース１２が本体部１１から容易に外れないように強固に固定される。
【００２８】
そして、プラガブル光送受信モジュール１の組立て完了後は、図１２に示すように、スライダ規制突起１１２にスライダ規制切欠き１４７が接触し、また、抜去用バー規制突起１４５にカム板１３４が接触することで、スライダ１４及び抜去用バー１３の可動域が制限される。この際、抜去用バー１３の回動可能範囲は、抜去用バー１３の前面ベース１２への組付けにおいてキー溝穴１２１にキー突起付回転軸１３３を挿入する際の抜去用バー１３の角度を含まない範囲となっている。よって、プラガブル光送受信モジュール１の組立て完了後に、抜去用バー１３が前面ベース１２から外れることはない。
【００２９】
次に、上記のように構成されたプラガブル光送受信モジュール１のケージ２との間での挿抜例について説明する。
プラガブル光送受信モジュール１をケージ２に挿入する場合には、図１３に示すように、プラガブル光送受信モジュール１の本体部１１をケージ２に挿入する。これにより、本体部１１の結合突起１１１がケージ２の結合穴２１１に嵌り、プラガブル光送受信モジュール１とケージ２とを結合することができる。
【００３０】
一方、プラガブル光送受信モジュール１をケージ２から抜去する場合には、図１４に示すように、抜去用バー１３を矢印１４０１方向に回動させる。これにより、抜去用バー１３のカム板１３４とスライダ１４のカム突起１４３とが接触して、スライダ１４が矢印１４０２方向にスライドする。そして、スライダ１４の解除突起１４６がケージ２の舌片２１の折れ曲がり部２１２と接触し、舌片２１を外側に押し上げる。これにより、結合突起１１１が舌片２１の結合穴２１１から外れる。この状態で、抜去用バー１３を把持してプラガブル光送受信モジュール１をケージ２から矢印１４０３方向に引き抜くことで、ケージ２からの抜去動作が完了する。
【００３１】
なお上記では、前面ベース１２及び抜去用バー１３の材質については言及していないが、例えば樹脂成型品とすることができる。この場合、金属を用いた場合に比べ、材料費が安価となり、製造性がよいため加工費が安価となる。また、プラガブル光送受信モジュール１により発せられた熱が伝わりにくくなる。
【００３２】
以上のように、この実施の形態１によれば、前面ベース１２及び抜去用バー１３に、本体部１１とケージ２との結合を解除する際に抜去用バー１３を回動可能な範囲に対し、当該範囲外の角度で抜去用バー１３を前面ベース１２に組付け可能とする組付け機構（キー溝穴１２１及びキー突起付回転軸１３３）を設けたので、抜去用バー１３がプラガブル光送受信モジュール１から外れることを回避することができる。また、上記組付け機構を用いることで、従来構成の止め輪のような部品の追加は不要であり、リベット加工又は溶接加工のような２次加工も不要であり、また、組立て性もよいため、特許文献２のような従来構成に対し安価に構成することができる。
【００３３】
なお上記では、図４に示すような形状のキー溝穴１２１及びキー突起１３３２を設けた場合について示したが、これに限るものではなく、抜け止め用穴及び抜け止め用突起の形状は、適宜変更可能である。
【００３４】
実施の形態２．
図１５はこの発明の実施の形態２における前面ベース１２及び抜去用バー１３の構成例を示す斜視図である。この図１５に示す実施の形態２における前面ベース１２及び抜去用バー１３は、実施の形態１における前面ベース１２に保持溝１２６を追加し、抜去用バー１３に保持突起１３５を追加したものである。その他の構成は同様であり、同一の符号を付してその説明を省略する。
【００３５】
保持溝１２６は、前面ベース１２の両側面（左右側面）の先端に設けられた溝である。また、保持突起１３５は、抜去用バー１３の両回転軸１３３１の内側に設けられ、プラガブル光送受信モジュール１がケージ２に挿入された状態において、保持溝１２６に嵌るものである。なお、保持溝１２６及び保持突起１３５は、本体部１１とケージ２とが結合した状態において、抜去用バー１３を前面ベース１２に保持する保持機構を構成する。
【００３６】
この保持機構を設けることで、プラガブル光送受信モジュール１がケージ２に挿入された状態において、抜去用バー１３が不用意に回動しないようにすることができる。なお、この保持機構における保持溝１２６と保持突起１３５との嵌合量は小さいため、使用者が抜去用バー１３の把持部１３１を把持して回動させることで、容易に保持機構による保持を解除することができる。
【００３７】
また、保持機構は図に示す構成に限るものではなく、本体部１１とケージ２とが結合した状態において、抜去用バー１３を前面ベース１２に保持可能な構成であればよい。例えば、保持機構として、前面ベース１２に保持突起を設け、抜去用バー１３に、当該保持突起が嵌る保持溝を設けてもよい。
【００３８】
実施の形態３．
実施の形態１では、前面ベース１２にキー溝穴１２１を設け、抜去用バー１３にキー突起付回転軸１３３を設けた場合について示したが、図１６に示すように、逆に、前面ベース１２にキー突起付回転軸１２７を設け、抜去用バー１３にキー溝穴１３６を設けてもよい。なお、キー突起付回転軸１２７及びキー溝穴１３６は、実施の形態１のキー突起付回転軸１３３及びキー溝穴１２１と同様に構成されている。この図１６に示す構成であっても、実施の形態１と同様の効果を得ることができる。また、図１６に示す構成に、実施の形態２と同様の固定機構を追加してもよい。
【００３９】
なお、本願発明はその発明の範囲内において、各実施の形態の自由な組み合わせ、あるいは各実施の形態の任意の構成要素の変形、もしくは各実施の形態において任意の構成要素の省略が可能である。
【符号の説明】
【００４０】
１  プラガブル光送受信モジュール、２  ケージ、１１  本体部、１２  前面ベース（ベース）、１３  抜去用バー、１４  スライダ、２１  舌片、１１１  結合突起、１１２  スライダ規制突起、１１３  固定溝、１２１  キー溝穴（抜け止め用穴）、１２２，１２３  突起、１２４  スライダ規制壁、１２５  固定爪、１２６  保持溝、１２７  キー突起付回転軸、１３１  把持部、１３２  回動部、１３３  キー突起付回転軸、１３４  カム板、１３５  保持突起、１３６  キー溝穴、１４１，１４２  スライダ規制穴、１４３，１４４  カム突起、１４５  抜去用バー規制突起、１４６  解除突起、１４７  スライダ規制切欠き、２１１  結合穴、２１２  折れ曲がり部、１３３１  回転軸、１３３２  キー突起（抜け止め用突起）、１４１１  挿入穴、１４１２，１４２１  スライド溝。
【図１】
0006272266.tif 000002
【図２】
0006272266.tif 000003
【図３】
0006272266.tif 000004
【図４】
0006272266.tif 000005
【図５】
0006272266.tif 000006
【図６】
0006272266.tif 000007
【図７】
0006272266.tif 000008
【図８】
0006272266.tif 000009
【図９】
0006272266.tif 000010
【図１０】
0006272266.tif 000011
【図１１】
0006272266.tif 000012
【図１２】
0006272266.tif 000013
【図１３】
0006272266.tif 000014
【図１４】
0006272266.tif 000015
【図１５】
0006272266.tif 000016
【図１６】
0006272266.tif 000017